(57)【要約】【課題】食事の際の楽しみを通じて、食事への集中意欲を高め、創造性を育む食器を提供すること。【解決手段】大皿と複数の小皿で構成されており、大皿には、人または動物の顔の輪郭が表現されており、小皿には、目、鼻、口、頬などが表現されている。食後には、大皿の上に、小皿を好きなように置いて、様々な表情を表現することができる。【選択図】図４
0003181158.tif 000002
【実用新案登録請求の範囲】
【請求項１】
食事の際に使用する盛り付け食器セットであって、１枚の大皿と複数の小皿で構成されていることを特徴とする盛り付け食器セット。
【請求項２】
前記盛り付け食器セットの前記大皿は、人、または動物の輪郭を表現した形状と絵柄で装飾された食器であり、前記複数の小皿は、人、または動物の目、口、鼻、頬などの顔の部位を表現した形状と絵柄で装飾されていることを特徴とする請求項１に記載の盛り付け食器セット。
【請求項３】
前記盛り付け食器セットは、前記大皿の盛り付け部上に複数の小皿を自由に配置することで、笑い顔、泣き顔、迷った顔など様々な表情が表現できることを特徴とする請求項１または請求項２に記載の盛り付け食器セット。
【考案の詳細な説明】
【技術分野】
【０００１】本考案は、食事の際に使用する盛り付け食器セットに関し、特に、楽しみながら食事を取ることが可能となる新規な盛り付け食器セットに関するものである。
【背景技術】
【０００２】人間にとって食事というのは、生きていく上で、直接的なエネルギー、栄養を補給するために、大変重要な機会である。特に、幼少期においては、将来の体の骨格をつくるために栄養バランスのとれた食事をとることが非常に重要である。しかし、多くの子供にとって、食事だけに集中することはほとんどなく、他の事に気がいってしまって、食事が長時間となったり、食べこぼしたり、さらには、好き嫌いを言ったり、食事を途中で止めて他の事に手を出したり等々、様々なことが起こってしまうのが現状である。
【背景技術】
【０００３】食事の時間を楽しくさせるために、一般的には、１つの食器自体に、固定された、模様、キャラクター、文字などが装飾されたものがある。
【考案の開示】
【０００４】先行技術を調査したが、本考案と関連すると思われるものは発見できなかった。
【考案が解決しようとする課題】
【０００５】本考案は、大皿と複数の小皿で構成されており、大皿には、人または動物の顔の輪郭が表現されており、小皿には、目、鼻、口、頬などが表現されている。食後には、大皿の上に、小皿を好きなように置いて、笑い顔、泣き顔、迷った顔など様々な表情を表現することができる構造を有しており、子供から大人まで老若男女を問わず食事を楽しみ、かつ、食事を残さず食べる意欲を高めることができる盛り付け食器セットを提供することを目的とする。
【課題を解決するための手段】
【０００６】前記目的を達成するために本考案は、１枚の大皿と複数の小皿で構成された盛り付け食器セットとなっている。
【０００７】また、前記盛り付け食器セットの前記大皿は、人、または動物の輪郭を表現した形状と絵柄で装飾された食器とし、前記複数の小皿は、人、または動物の目、口、鼻、頬などの顔の部位を表現した形状と絵柄で装飾された特徴を有している。
【０００８】前記盛り付け食器セットは、前記大皿の盛り付け部上に複数の小皿を自由に配置することで、笑い顔、泣き顔、迷った顔など様々な表情が表現できることを特徴としている。
【考案の効果】
【０００９】本考案にかかる盛り付け食器セットによれば、食事を食べ終わった後に、大皿の盛りつけ部上で複数の小皿を自由に配置し、様々な表情を表現できるという楽しみを提供することで、残さず食べようとする意欲向上につなげることができる。
【００１０】このことは、特に子供の食事において顕著に効果を奏し、大皿の盛り付け部上で様々な表情を表現できる面白さを通して食事への興味を促し、食事に対する集中力を高めることが可能となる。
【００１１】また、大皿の盛りつけ部上で様々な表情を表現できることから、使用者の創造性を育むことにもつながっている。
【考案を実施するための最良の形態】
【００１２】本考案は、大皿と複数の小皿で構成されたお皿の組み合わせや小皿の配置によって、笑い顔、泣き顔、迷った顔など様々な表情を表現することを可能としたことを最大の特徴とする。
以下、本考案にかかる盛り付け食器セットの実施形態を図面に基づいて説明する。
【実施例１】
【００１３】図１〜図３は、本考案にかかる盛り付け食器セットの各部位を示しており、図１は大皿の正面図、図２は小皿の正面図、図３は、大皿と複数の小皿で構成される食器セットの正面図、図４は、該盛り付け食器セットの実施形態を示した正面斜視図である。【００１４】図１−１と図１−２は、盛り付け食器セットの大皿の正面図であり、人または動物の顔の輪郭を表現しているのが特徴である。ただし、図面に示すような形状や盛り付け部の絵柄は限定するものではない。【００１５】図２−１と図２−２は、盛り付け食器セットの中の１つである小皿の正面図であり、小皿は、人または動物の目、口、鼻、頬などの形状または小皿の盛り付け部に人または動物の顔の部位の絵柄を装飾している。ただし、図面に示すような形状や盛り付け部の絵柄は限定するものではない。【００１６】図３−１〜３−５に示すように、本考案の盛り付け食器セットの実施形態の正面図である。
当該大皿の盛り付け部の上に複数の小皿を自由に配置することで、笑顔や泣き顔、迷った顔など
様々な表情を表現できる構造となっている。ただし、図面に示すような固定された表情だけでなく、複数の小皿の組み合わせと配置によって、様々な表情が表現できることは言うまでもない。【００１７】図４は、本考案の盛り付け食器セットの実施形態の正面斜視図である。盛り付け食器セットの大皿と小皿の形状、および大皿と複数の小皿の組み合わせについては、図面に示すような形状や組み合わせに限定するものではない。
また、盛り付け食器セットの材質についても限定するものではないが、製作の工程上、陶器や磁器、あるいは、プラスチックによる成型が考え得る。【００１８】また、図４においては、本実施形態にかかる盛り付け食器セットは、人または動物の輪郭を表現した形状と盛り付け部に装飾された大皿１枚と、目、口、頬顔の部位を表現した形状と絵柄で装飾された５枚の小皿を採用した場合について示している。
かかる構造を採ることにより、大皿盛り付け部上の複数の小皿を自由に配置することで、笑い顔、泣き顔、迷った顔など様々な表情を表示することが可能となる。
【産業上の利用可能性】
【００１９】本考案は以上の通りであって、この盛り付け食器セットによれば、大皿の盛り付け部上の複数の小皿を自由に配置できることで、従来の絵皿のように常に同じ絵柄が表示されているわけではなく、老若男女を問わず、個々人の好きな表情をつくることが可能であるため、あらゆる世代の人間が食事を楽しむことができる。このことは、特に幼児世代の子供の食事において有効であり、すなわち、子供にとって食事を終えた後にどのような表情を表現するかという点に興味がそそられることで、使用者の創造性を育むだけでなく、食事を楽しいものにするとともに、食事に対する集中力を高めることが可能となることから、産業上の利用可能性は大である。
【図面の簡単な説明】
【００２０】
【図１−１】本考案にかかる盛り付け食器セットの１つである、人の顔の輪郭を表現した大皿正面斜視図である。
【図１−２】本考案にかかる盛り付け食器セットの１つである動物の顔の輪郭を表現した大皿正面斜視図である。
【図２−１】本考案にかかる盛り付け食器セットの１つである目の絵柄を装飾した小皿の正面斜視図である。
【図２−２】本考案にかかる盛り付け食器セットの１つである図２−１とは異なる目の絵柄を装飾した小皿の正面斜視図である。
【図２−３】本考案にかかる盛り付け食器セットの１つである口の形状をした小皿の正面斜視図である。
【図２−４】本考案にかかる盛り付け食器セットの１つである鼻の形状をした小皿の正面斜視図である。
【図２−５】本考案にかかる盛り付け食器セットの１つである頬の絵柄を装飾した小皿の正面斜視図である。
【図３−１】本考案にかかる盛り付け食器セットの人の場合で、人の輪郭をした大皿の盛り付け部上で、小皿の位置を変え、笑顔を表現した実施形態を示す正面図である。
【図３−２】本考案にかかる盛り付け食器セットの人の場合で、人の輪郭をした大皿の盛り付け部上で、小皿の位置を変え、泣き顔を表現した実施形態を示す正面図である。
【図３−３】本考案にかかる盛り付け食器セットの人の場合で、人の輪郭をした大皿の盛り付け部上で、小皿の位置を変え、びっくり顔を表現した実施形態を示す正面図である。
【図３−４】本考案にかかる盛り付け食器セットの動物の場合で、動物の輪郭をした大皿の盛り付け部上で、小皿の位置を変え、眠り顔を表現した実施形態を示す正面図である。
【図３−５】本考案にかかる盛り付け食器セットの動物の場合で、動物の輪郭をした大皿の盛り付け部上で、小皿の位置を変え、ごきげん顔を表現した実施形態を示す正面図である。
【図４】本考案にかかる盛り付け食器セットの人の場合で、人の輪郭をした大皿の盛り付け部上で、小皿の位置を変え、笑顔を表現した実施形態を示す正面図斜視図である。
【符号の説明】
【００２１】１  盛り付け部
Ｐ  絵柄
【図１−１】
0003181158.tif 000003
【図１−２】
0003181158.tif 000004
【図２−１】
0003181158.tif 000005
【図２−２】
0003181158.tif 000006
【図２−３】
0003181158.tif 000007
【図２−４】
0003181158.tif 000008
【図３−１】
0003181158.tif 000009
【図３−２】
0003181158.tif 000010
【図３−３】
0003181158.tif 000011
【図３−４】
0003181158.tif 000012
【図３−５】
0003181158.tif 000013
【図４】
0003181158.tif 000014
【手続補正書】
【提出日】平成24年11月29日(2012.11.29)
【手続補正２】
【補正対象書類名】明細書
【補正対象項目名】００２０
【補正方法】変更
【補正の内容】
【００２０】
【図１−１】本考案にかかる盛り付け食器セットの１つである、人の顔の輪郭を表現した大皿正面斜視図である。
【図１−２】本考案にかかる盛り付け食器セットの１つである動物の顔の輪郭を表現した大皿正面斜視図である。
【図２−１】本考案にかかる盛り付け食器セットの１つである目の絵柄を装飾した小皿の正面斜視図である。
【図２−２】本考案にかかる盛り付け食器セットの１つである口の形状をした小皿の正面斜視図である。
【図２−３】本考案にかかる盛り付け食器セットの１つである鼻の形状をした小皿の正面斜視図である。
【図２−４】本考案にかかる盛り付け食器セットの１つである頬の絵柄を装飾した小皿の正面斜視図である。
【図３−１】本考案にかかる盛り付け食器セットの人の場合で、人の輪郭をした大皿の盛り付け部上で、小皿の位置を変え、笑顔を表現した実施形態を示す正面図である。
【図３−２】本考案にかかる盛り付け食器セットの人の場合で、人の輪郭をした大皿の盛り付け部上で、小皿の位置を変え、泣き顔を表現した実施形態を示す正面図である。
【図３−３】本考案にかかる盛り付け食器セットの人の場合で、人の輪郭をした大皿の盛り付け部上で、小皿の位置を変え、びっくり顔を表現した実施形態を示す正面図である。
【図３−４】本考案にかかる盛り付け食器セットの動物の場合で、動物の輪郭をした大皿の盛り付け部上で、小皿の位置を変え、眠り顔を表現した実施形態を示す正面図である。
【図３−５】本考案にかかる盛り付け食器セットの動物の場合で、動物の輪郭をした大皿の盛り付け部上で、小皿の位置を変え、ごきげん顔を表現した実施形態を示す正面図である。
【図４】本考案にかかる盛り付け食器セットの人の場合で、人の輪郭をした大皿の盛り付け部上で、小皿の位置を変え、笑顔を表現した実施形態を示す正面図斜視図である。